(57)【特許請求の範囲】
【請求項１】
浴槽内の湯を循環ポンプにより吸湯管から汲み上げて清浄化管路を循環させ、濾過タンクで汚れを濾過し、殺菌装置で殺菌して噴湯管から再び浴槽内に噴出させる浴槽湯の清浄化装置において、前記清浄化管路の浴槽湯を導く浴槽湯流入口を設けると共に浴槽湯を管路中に流出する出湯口を設けて常に低温の浴槽湯が流入し続ける湯温調節器を前記清浄化管路中に設け、該湯温調節器の他の管路に、所定温度の熱湯を貯える貯湯タンクからの高温湯の流入量を浴槽湯の湯温が設定温度より下がった場合に限って弁を開いて制御する流量調節弁を介して熱湯が流入する熱湯流入口を設けて、前記清浄化管路の浴槽湯の一部を前記貯湯タンクに入水管から流入して、該貯湯タンクに貯められていた底部から入った浴槽湯分と同量の熱湯を前記熱湯流入口から流入すると共に、サーモエレメントの熱湯と浴槽湯の混合した湯温に応じた体積変化に基く上下動に伴って熱湯の通湯量が連続的に変化するよう形成した弁体を上下動する流量調節弁が配備された前記湯温調節器は、前記熱湯流入口から前記流量調節弁を介して湯温に応じた量の流入した熱湯を清浄化管路の前記浴槽湯流入口から流入した浴槽湯に混合して湯温調節するよう構成し、
湯温に応じた量の熱湯が混合されて適温で一定量の浴槽湯が循環するようにした
ことを特徴とする浴槽湯の清浄化装置。
【請求項２】
浴槽内の湯を循環ポンプにより吸湯管から汲み上げて清浄化管路を循環させ、濾過タンクで汚れを濾過し、殺菌装置で殺菌して噴湯管から再び浴槽内に噴出させる浴槽湯の清浄化装置において、
所定温度の熱湯を貯えた貯湯タンクが、貯湯タンクの上面から延びる熱湯供給管を清浄化管路に配備した湯温調節器の熱湯流入口に接続すると共に、貯湯タンクの底面に清浄化管路から分岐した入水管を接続して清浄化管路と連結して配備され、
前記貯湯タンクからの熱湯供給管が接続する熱湯流入口、清浄化管路から浴槽湯が流入する浴槽湯流入口、浴槽湯を清浄化管路に流出する出湯口、浴槽湯に熱湯を混合する混合室を有し、
該混合室の上面の弁座に前記混合室と熱湯流入口と連通する弁穴を設け、
前記混合室内に位置するサーモエレメントの熱湯と浴槽湯の混合した湯温に応じた体積変化に基いてピストンが上下動する弁軸に、周面に通湯穴を設けて前記弁穴との連通を保つと共に、上下動に伴い熱湯の通湯量が連続的に変化する通湯筒部を有する弁筒を固着した流量調節弁を前記弁穴に挿通した前記湯温調節器であり、
熱湯流入口から通湯筒部及び弁穴を介して湯温に応じた量の流入した熱湯を浴槽湯流入口から流入した浴槽湯に混合して湯温調節するよう構成され、
湯温に応じた量の熱湯が混合されて適温が保たれると同時に、混合された熱湯と同量の浴槽湯が貯湯タンクへ流出されて循環量が一定に保たれた浴槽湯が清浄化管路を循環した後浴槽内に噴出される
ことを特徴とする浴槽湯の清浄化装置。
【請求項３】
流量調節弁のピストンに固着される弁筒が、周面を密閉して弁穴との連通を断った閉湯筒部に複数の長溝状の通湯穴を設けて弁穴との連通を保った通湯筒部が連設された筒状体として形成された
ことを特徴とする請求項２記載の浴槽湯の清浄化装置。
【発明の詳細な説明】
【０００１】
【発明の属する技術分野】
本発明は風呂装置に係り、特に浴槽内の湯を強制的に循環させつつ濾過、殺菌等の清浄化処理すると同時に入浴温度に保温し、浴槽湯を絶えず清浄かつ適温保ち２４時間何時でも好みの時に入浴できるようにしたいわゆる２４時間風呂装置に関するものである。
【０００２】
【従来の技術】
最近、浴槽内の湯を絶えず清浄かつ適温に保ち、２４時間いつでも快適に入浴でき、しかも水の節約にもなる、浴槽湯の清浄化装置、すなわち２４時間風呂の利用が盛んになつてきた。
【０００３】
このような浴槽湯の清浄化装置の１例は図に示す通りであり、１が浴槽、２が湯、３が浴槽１内の湯２を汲み上げるための吸湯管、４が吸湯管３で汲み上げられた湯を清浄化処理するための機器類をまとめて配備した装置本体、９が装置本体４で処理された湯を浴槽１内に再び噴出させるための噴湯管である。
【０００４】
装置本体４には、浴槽湯中の汚れを取り除くため、活性炭、活性石、多孔質セラミツクボール等の各種の粒状濾材や繊維状フイルタが単独或いは複合して装填された濾過タンク５、湯を強制循環するための循環ポンプ６、湯を適温に保つための保温用の電気ヒータ７、湯に対する
オゾン殺菌装置としてののオゾナイザ８等の清浄化処理機器が配備されている。
【０００５】
１０は大きな汚れを装置本体４に汲み上げる前に予め取り除くため吸湯管３の先端に取り付けたプレフイルタであり、１１は清浄化処理の終わった湯を流速の早いジエツト流として浴槽１内に噴出する吸気管１２がエジエクタ部に接続するジエツトノズルである。
【０００６】
ジェットノズル１１のエジェクタ部に接続する吸気管１２の先端には管路を開閉するための電磁弁１３が設けられ、途中にオゾナイザ８が配備されて、電磁弁１３を開くとジェットノズル１１の吸気力で吸気管１２から空気が吸い込まれ、この空気がエジェクタ部で湯に混入されジェットノズル１１からジェット流が浴槽１内に噴出して泡風呂となり、さらにオゾナイザ８を作動させると吸気管１２に吸い込まれた空気がオゾン化されて浴槽１内に噴出され湯２がオゾン殺菌される。
【０００７】
【発明が解決しようとする課題】
しかしながら、以上のように構成される装置では湯の加熱を電気ヒータで行っているのでランニングコストが高くなり、またこの電気ヒータの容量は配線容量の関係では８００Ｗ程度とするのが限度なので、２００リットルもの浴槽湯を加熱するには容量が不足で加熱速度が遅くなる。
【０００８】
この結果、入浴の際に湯の温度を上げたくてもなかなか上がらず、さらに湯の交換をした際や装置の運転を長時間止めていたために湯温が大幅に下がってしまった際には、湯を入浴温度まで加熱するのに非常に長い時間が掛かってしまう。
【０００９】
本発明は前記したような従来技術の欠点を解消し、加熱費を安くすると共に急速に湯を入浴温度まで加熱できるようにした浴槽湯の清浄化装置を提供することを目的とする。
【００１０】
【課題を解決するための手段】
そこで発明者は、前記課題を解決すべく、鋭意、研究を重ねた結果、その発明を、浴槽内の湯を循環ポンプにより吸湯管から汲み上げて清浄化管路を循環させ、濾過タンクで汚れを濾過し、殺菌装置で殺菌して噴湯管から再び浴槽内に噴出させる浴槽湯の清浄化装置において、前記清浄化管路の浴槽湯を導く浴槽湯流入口を設けると共に浴槽湯を管路中に流出する出湯口を設けて常に低温の浴槽湯が流入し続ける湯温調節器を前記清浄化管路中に設け、該湯温調節器の他の管路に、所定温度の熱湯を貯える貯湯タンクからの高温湯の流入量を浴槽湯の湯温が設定温度より下がった場合に限って弁を開いて制御する流量調節弁を介して熱湯が流入する熱湯流入口を設けて、前記清浄化管路の浴槽湯の一部を前記貯湯タンクに入水管から流入して、該貯湯タンクに貯められていた底部から入った浴槽湯分と同量の熱湯を前記熱湯流入口から流入すると共に、サーモエレメントの熱湯と浴槽湯の混合した湯温に応じた体積変化に基く上下動に伴って熱湯の通湯量が連続的に変化するよう形成した弁体を上下動する流量調節弁が配備された前記湯温調節器は、前記熱湯流入口から前記流量調節弁を介して湯温に応じた量の流入した熱湯を清浄化管路の前記浴槽湯流入口から流入した浴槽湯に混合して湯温調節するよう構成し、湯温に応じた量の熱湯が混合されて適温で一定量の浴槽湯が循環するようにしたことにより課題を解決した。
また、本発明は、浴槽内の湯を循環ポンプにより吸湯管から汲み上げて清浄化管路を循環させ、濾過タンクで汚れを濾過し、殺菌装置で殺菌して噴湯管から再び浴槽内に噴出させる浴槽湯の清浄化装置において、所定温度の熱湯を貯えた貯湯タンクが、貯湯タンクの上面から延びる熱湯供給管を清浄化管路に配備した湯温調節器の熱湯流入口に接続すると共に、貯湯タンクの底面に清浄化管路から分岐した入水管を接続して清浄化管路と連結して配備され、前記貯湯タンクからの熱湯供給管が接続する熱湯流入口、清浄化管路から浴槽湯が流入する浴槽湯流入口、浴槽湯を清浄化管路に流出する出湯口、浴槽湯に熱湯を混合する混合室を有し、該混合室の上面の弁座に前記混合室と熱湯流入口と連通する弁穴を設け、前記混合室内に位置するサーモエレメントの熱湯と浴槽湯の混合した湯温に応じた体積変化に基いてピストンが上下動する弁軸に、周面に通湯穴を設けて前記弁穴との連通を保つと共に、上下動に伴い熱湯の通湯量が連続的に変化する通湯筒部を有する弁筒を固着した流量調節弁を前記弁穴に挿通した前記湯温調節器であり、熱湯流入口から通湯筒部及び弁穴を介して湯温に応じた量の流入した熱湯を浴槽湯流入口から流入した浴槽湯に混合して湯温調節するよう構成され、湯温に応じた量の熱湯が混合されて適温が保たれると同時に、混合された熱湯と同量の浴槽湯が貯湯タンクへ流出されて循環量が一定に保たれた浴槽湯が清浄化管路を循環した後浴槽内に噴出されることにより課題を解決した。
また、本発明は、流量調節弁のピストンに固着される弁筒が、周面を密閉して弁穴との連通を断った閉湯筒部に複数の長溝状の通湯穴を設けて弁穴との連通を保った通湯筒部が連設された筒状体として形成することにより課題を解決した。
【００１１】
また、本発明は、浴槽内の湯を循環ポンプにより吸湯管から汲み上げて清浄化管路を循環させ、濾過タンクで汚れを濾過し、殺菌装置で殺菌して噴湯管から再び浴槽内に噴出させる浴槽湯の清浄化装置において、一定温度の熱湯を貯えた貯湯タンクが、熱湯流出口から延びる熱湯供給管を清浄化管路に配備した湯温調節器の熱湯流入口に接続すると共に、入水口に清浄化管路から分岐した入水管を接続して清浄化管路と連結して配備され、前記湯温調節器は、前記貯湯タンクからの熱湯供給管が接続する熱湯流入口、清浄化管路から浴槽湯が流入する浴槽湯流入口、浴槽に熱湯を混合する混合室を有し、混合室は、上面の弁座に設けた弁穴が熱湯流入口と連通し、弁穴に、混合室内に位置するサーモエレメントの湯温に応じた体積変化に基いてピストンが上下動し、ピストンに、周面に通湯穴を設けて弁穴との連通を保っと共に、上下動に伴い通湯量が連続的に変化する通湯筒部を有する弁筒を固着した流量調節弁が挿通され、熱湯流入口から通湯筒部及び弁穴を介して湯温に応じた量流入した熱湯を浴槽湯流入口から流入した浴槽湯に混合して湯温調節するよう構成され、湯温に応じた量の熱湯が混合されて適温が保たれると同時に、混合された熱湯と同量の浴槽湯が貯湯タンクへ流出されて循環量が一定に保たれた浴槽湯が清浄化管路を循環した後浴槽内に噴出されることにより課題を解決した。
【００１２】
さらに、本発明は、流量調節弁のピストンに固着される弁筒が、周面を密閉して弁穴との連通を断った閉湯筒部に複数の長溝状の通湯穴を設けて弁穴との連通を保った通湯筒部が連設された筒状体として形成されたことにより課題を解決した。
【００１３】
さらに、本発明は、又、熱湯供給手段が所定温度の熱湯を貯蔵する貯湯タンクとし、貯湯タンクには深夜電力、太陽熱等の安い熱源で加熱した湯を蓄えて加熱コストを安くできるようにもする。
さらに、清浄化手段の清浄化管路に循環する浴槽湯を加熱する電気ヒータを湯温調節装置の上流側に配備し、厳冬季に貯湯タンクの加熱用の湯の不足を電気ヒータで補えるようにして余り大きな貯湯タンクを配備しなくても済むようにすることにより課題を解決した。
【００１４】
【発明の実施の形態】
次に本発明の実施の形態について、図１の実施例の配管図に基づいて説明するが、従来例と同一の構成要素には同一の符号を付けてある。
【００１５】
清浄化管路１４には、湯を清浄化の場合の逆に流して濾過タンク５に充填された濾材を洗浄するいわゆる逆洗の管路を形成するために、Ｌ字型及びＴ字型の切換弁１５及び１６が配備されている。
【００１６】
また殺菌装置として紫外線殺菌装置１７を配備したので従来例のように吸気管１２が接続していないが、勿論、噴湯管９の先端に従来例と同様に吸気管１２を接続したジエットノズル１１を取り付けて泡風呂を楽しめるようにする。
【００１７】
１８が湯温調節器であり、この湯温調節器１８には浴槽湯流入口１９、高温湯流入口２０及び出湯口２１が設けてある。
【００１８】
２２が熱湯供給手段としての貯湯タンクであり、この貯湯タンク２２の上面には熱湯供給管２３の一端が接続し、この熱湯供給管２３の他の一端は清浄化管路１４の湯温調節器１８の熱湯流入口２０に接続し、底面に一端が接続する入水管２４の他の一端は清浄化管路１４に電気ヒータ７の下流で接続し、ヒータ２５は深夜電力利用のヒータである。
【００１９】
従ってこの実施例では、貯湯タンク２２には浴槽湯が深夜電力を利用してヒータ２５により加熱されて熱湯となって貯められるようになっているが、浴槽湯を太陽熱を利用して加熱たり、場合によっては通常電力によって加熱して熱湯として貯めておいても良い。
【００２０】
さらに、入水管２４を水道水を灯油或いはガス等の安い熱源で加熱する給湯器に接続して置き、給湯器で加熱された水道水を熱湯として貯湯タンクに貯めておいても良い。
【００２１】
次に湯温調節器１８の構成の図２及び図３に基づいて詳細を説明すると、図２において、２６が混合室であり、この混合室２６は、上面が中央に弁穴２８を設けた弁座２７となっており、１つの側面には浴槽湯流入口１９が、他の側面には弁座２７に通じる熱湯流入口２０が設けられ、下面には出湯口２１が設けられている。
【００２２】
２９が流量調節弁であり、この流量調節弁２９の弁軸３０は、下端に弁座２７の弁穴２８を開閉するための弁筒３１が固定して取り付けられ、内部に混合室２６に流入した浴槽湯の湯温に応じて体積が変化するサーモエレメントとしてのワックス３３が充填され、このワックス３３に下端が当たるピストン３４が上下動自在にはめられたサーモスタット３２が固定してはめられている。
【００２３】
３５は流量調節弁２９の弁軸３０を上下動自在にはめるため混合室２６の上方に延びた案内管であり、３６は案内管３５の上端にはめられ浴槽湯の設定温度に応じて所定の位置に固定された押さえ軸であり、３７は流量調節弁２９を上の方に押し上げるための複数の押さえばねである。
【００２４】
流量調節弁２９の弁軸３０の下端に固定して取り付けられる弁筒３１は、図３に示される通りであり、上半分は弁穴２８を塞ぐ円筒である閉湯筒３８となっており、下半分は所定の間隔で複数の切り欠き溝４０を設けた円筒である通湯筒３９となっており、中央には弁軸３０に取り付けるための取付穴４１が設けられている。
【００２５】
したがって流量調節弁２９は、弁筒３１を取付穴４１を介して弁軸３０の下端に取り付けた後、混合室２６に対して、弁筒３１を弁座２７の弁穴２８に、弁軸３０を案内管３５に上下動自在にはめ、複数の押さえばね３７で上に向かって押し上げ、ピストン３４の上端を押さえ軸３６で上から押さえながら配備する。
【００２６】
このようにして流量調節弁２９を混合室２６に対して配備すると、弁筒３１は上の方に押し上げられていて弁座２７の弁穴２８の位置には切り欠き溝４０が設けられた下方の通湯筒３９が位置するので弁は開いた状態となっている。
【００２７】
以上のような構成の湯温調節器１８を用いて清浄化管路１４を強制循環する浴槽湯の湯温を貯湯タンク２２に貯められた熱湯で加熱し適温を保つ状態を図４に基づいて説明する。
【００２８】
まず装置の運転を開始する際には、湯温調節器１８は、（ａ）図に示すように、流量調節弁２９が押さえばね３７により上の方に押されて弁筒３１は通湯筒３９が混合室２６の弁穴２８に位置していて弁が開いた初期設定状態になっている。
【００２９】
この状態で装置の運転が開始されると、切換弁１５及び１６が清浄化の処理の方向に切り換えられているので、循環ポンプ６で吸湯管３から汲み上げられた浴槽１内の湯２は、紫外線殺菌装置１７で殺菌された後濾過タンク５で濾過され電気ヒータ７を経て清浄化管路１４を流れて行く。
【００３０】
この際外気温と貯湯タンク２２の貯湯量の関係で電気ヒータ７による補助的な加熱が必要と装置を全体的に制御しているマイクロコンピュータが判断した場合には電気ヒータによる加熱が行われる。
【００３１】
また前記したように湯温調節器１８の熱湯流入口２０に対して配備された流量調節弁２９は弁が開き熱湯が熱湯供給管２３から混合室２６に流入できる状態になっており、さらに貯湯タンク２２の底面に一端が接続する入水管２４の他の一端が電気ヒータ７と湯温調節器１８との間で清浄化管路１４に接続している。
【００３２】
したがって清浄化管路１４を循環し電気ヒータ７を経た湯２は、湯温調節器１８に向かって清浄化管路１４を流れると同時に入水管２４から貯湯タンク２２に向かっても流れる。
【００３３】
この結果湯温調節装置１８には清浄化管路を流れた浴槽湯２が浴槽湯流入口１９から入ると同時に、貯湯タンク２２に貯められていた熱湯が底部から入った浴槽湯分だけ熱湯供給管２３に押し出されて熱湯流入口２０から入る。
【００３４】
そこで湯温調節器１８では混合室２６で清浄化管路１４を循環して湯温調節器１８に入った浴槽湯２には貯湯タンク２２に貯められていた熱湯が混合されて加熱され出湯口２１から再び清浄化管路１４に出て、浴槽１に噴湯管９から戻る。
【００３５】
このようにして（ａ）図に示すように湯温調節器１８の熱湯流入口２０に対する流量調節弁２９が開き、混合室２６で貯湯タンク２２に貯められた熱湯が混合され加熱される状態が続くと清浄化管路１４を循環し湯温調節器１８に流入する浴槽湯２の温度は上がり続ける。
【００３６】
すると湯温調節器１８の熱湯流入口２０に対して配備された流量調節弁２９は、サーモスタット３２に充填されたサーモエレメントであるワックス３３の温度が上がって体積が膨張しピストン３４を上に押し上げるようになる。
【００３７】
ところがピストン３４は押さえ軸３６で上端が押さえられているので流量調節弁２９は徐々に下に向かって弁を閉じる方向に動きだし、浴槽湯２の温度が入浴者が設定した温度と同じになり、（ｂ）図に示すような弁が閉じた瞬間の状態になる。
【００３８】
すなわち浴槽湯２の温度が上がり流量調節弁２９がサーモスタット３２のワックス３３の体積が膨張し下がり続けると、混合室２６の弁座２７の弁穴２８にはめられている弁筒３１が下がり続け、浴槽湯２と設定温度とが同じになった瞬間には閉湯筒３８の下端が丁度弁穴２８の位置に来るまで下がり弁を閉じ熱湯流入口２０から熱湯が入らな状態になる。
【００３９】
すると清浄化管路１４を循環する浴槽湯２は、電気ヒータ７を経た後貯湯タンク２２の方向には流れないで全てが湯温調節器１８方向に向かって流れ、湯温調節器１８では熱湯が混合され加熱されることなくそのまま浴槽１に戻って行く。
【００４０】
（ｂ）図に示すように、湯温調節器１８の熱湯流入口２０に対する流量調節弁２９の弁が閉じ、浴槽湯２は加熱されないで清浄化管路１４を循環し続けるとやがて温度が下がり出す。
【００４１】
すると流量調節弁２９は、サーモスタット３２のワックス３３の体積は収縮し出すのでピストン３４を上に押す力は弱くなり上に上がり、弁筒３１は通湯筒３９が弁座２７の弁穴２８に対して位置し弁が開いた（ａ）図に示すようになり、清浄化管路１４を循環している浴槽湯２は、湯温調節器１８で貯湯タンク２２に貯められている熱湯が混合されて再び加熱されてから浴槽１に戻るようになる。
【００４２】
以上のようにして湯温調節されながら清浄化管路１４を循環している浴槽湯２は、前記したように温度が設定温度と同じになった瞬間に湯温調節器１８の熱湯流入口２０に対して配備した流量流量調節弁２９の弁が閉じこれより高くなり過ぎることはない。
【００４３】
しかしながら、浴槽湯２が何らかの原因で加熱され過ぎて設定温度よりも高くなってしまっても、（ｃ）図に示すように、湯温調節器１８の熱湯流入口２０に対する流量調節弁２９はが完全に閉じ、浴槽湯２は、温度が設定温度よりも下がるまでは熱湯が絶対混ざらないでそれ以上温度が高くなり過ぎることは絶対にない状態になる。
【００４４】
すなわち浴槽湯２の温度が設定温度よりも高くなると、湯温調節器１８の流量調節弁２９は、サーモスタット３２のワックスの膨張が続くので下がり続け、やがて混合室２６の弁座２７の弁穴２８は弁筒３１の閉湯筒３８の上端で塞がれ完全に弁が閉じた状態になる。
【００４５】
このようになると浴槽湯２が、加熱されないで清浄化管路１４を循環し続けて温度が次第に下がり、湯温調節器１８の流量調節弁２９が、サーモスタット３２のワックス３３が収縮しピストン３４を上に押す力が弱くなって徐々に上がり出し、やがて設定温度と同じになって（ｂ）図に示すような状態を経た後、設定温度よりも下がって（ａ）図に示すような弁再び開いた状態になるまでは、貯湯タンク２２に貯められた熱湯では絶対に加熱されない。
【００４６】
以上のように湯温調節器１８は、浴槽湯の温度が設定温度と同じになると同時に熱湯流入口２０対して配備した流量調節弁が閉じられて貯湯タンク２２に貯められた熱湯を混合しての加熱が止められるので、浴槽湯２は必ず設定温度かそれ以下になっていて、高くなり過ぎることは殆どない。
【００４７】
仮に浴槽湯２が設定温度よりも高くなったとしても、流量調節弁２９は浴槽湯の温度が上がるにつれて弁をしっかりと閉じる方向に動き、設定温度より下がるまでは絶対に弁を開かないので、この間にさらに熱湯が混合されてやけどの危険があるような熱すぎる状態には決してならない。
【００４８】
また湯温調節器１８は、浴槽湯２の清浄化管路１４の途中に流量調節弁２９を熱湯流入口２０に対して設けた状態で配備され、常に低温の浴槽湯２が流入し続け、浴槽湯２の湯温が設定温度より下がった場合に限って弁を開いて貯湯タンク２２に貯められた熱湯を混合して浴槽湯２の温度を調節するようにしているので、仮に弁が故障しても浴槽１に熱湯が噴出することがなくて安全である。
【００４９】
すなわち流量調節弁２９が故障して、弁が閉じた状態のままになると、浴槽湯２は貯湯タンク２２に貯められた熱湯を混合して加熱されないで設定温度より低い状態で浴槽１に噴出し続けるだけで危険はなく、弁が開いた状態のままになっても、必ず低温の浴槽湯２と熱湯とが混合された状態でとなるので、設定温度より高かくなり過ぎても決してやけどの危険がないような温度の浴槽湯２が浴槽１に噴出されるだけで、貯湯タンク２２に貯められた熱湯だけが浴槽１に噴出してしやけどしてしまうような危険はない。
【００５０】
なお湯温調節器１８の熱湯流入口２０に対して配備する流量調節弁２９をサーモスタット式とすると、弁が浴槽湯２の温度に応じて上下して開閉するので、所定の温度で単にＯＮ−ＯＦＦするだけの電磁弁式よりもはるかに精密な温度制御ができる。
【００５１】
また流量調節弁２９は、単に弁板で弁穴２８を開閉する構成としても良いが、実施例に示すように、閉湯筒３８と通湯筒３９とに２分した弁筒３１を弁穴２８に上下動自在にはめた構成にすると、弁の開閉が一層精密になって正確な温度調節ができるようになる。
【００５２】
すなわち、浴槽湯２の温度が設定温度より低すぎる場合に流量調節弁２９は通湯溝としての切り欠き溝４０を設けた通湯筒３９が弁座２７の上に出て弁を開くようになるが、この弁座２７の上に出る通湯筒３９の長さすなわち通湯面積である弁を開く量は浴槽湯２の温度に応じて変わるようになっている。
【００５３】
このため湯温調節器１８は、浴槽湯２が設定温度よりも低く流量調節弁２９を開いて加熱する際に、混合室２６には設定温度と浴槽湯２との温度差に比例した量の貯湯タンク２２に貯められた熱湯が熱湯流入口２０から入るようになり、浴槽湯２を素早くしかも正確に設定湯温まで加熱する。
【００５４】
しかも浴槽湯２が設定温度に達した瞬間には弁が閉じられ混合室２６には熱湯が入らないようになるので、浴槽湯２が設定温度以上になることは殆どない。
【００５５】
一方浴槽湯の温度が設定温度よりも高くなり過ぎ流量調節弁２９を閉じる際には、弁座２７の下に出る閉湯筒３８の長さすなわち弁を閉じる量も浴槽湯２と設定温度との温度差に比例していて、浴槽湯２が設定温度よりも高か過ぎれば高か過ぎるほど弁を完全に閉じた状態にして、浴槽湯２が設定温度以下になるまでは決して開かないで温度調節を正確にすると同時に浴槽湯２が熱くなりすぎるのを完全に防いでいる。
【００５６】
なお湯温調節器１８の熱湯流入口２０に対して配備する流量調節弁としては、前記実施例に示すような湯温に応じての体積変化に基いて作動するものが好ましいが、形状記憶合金式等の浴槽湯の温度に応じて変化して開き量が変化できるなら他の形式の弁を利用しても良いことは言うまでもないことである。
【００５７】
またサーモスタット式の流量調節弁においてもサーモエレメントととして、ワックス以外の例えば気体や低融点合金といった熱に敏感に感応して大きく体積変化する材料を利用しても良い。
【００５８】
【発明の効果】
本発明は以上のように構成され、浴槽湯に湯温に応じて貯湯タンクに貯めた熱湯を混合して加熱するために配備した湯温調節器は、極めて構造が簡単でコストが安く、正確に温度を調節できる。
【００５９】
また清浄化管路の途中で湯温調節器を介して浴槽湯を湯温に応じて貯湯タンクに貯めた熱湯を混合して加熱すると、絶対に熱湯が浴槽に噴出しない安全な状態でコストを安くし、しかも急速に浴槽湯を設定温度まで加熱できる。
【図面の簡単な説明】
【図１】実施例配管図、
【図２】流量調節弁縦断面図、
【図３】流量調節弁弁筒斜視図、
【図４】流量調節弁開閉状態縦断面図、
【図５】従来例配管図。
【符号の説明】
１                  浴槽
２                  湯
３                  吸湯管
４                  装置本体
５                  濾過タンク
６                  循環ポンプ
７                  電気ヒータ
９                  噴湯管
１４                  清浄化管路
１８                  湯温調節器
１９                  浴槽湯流入口
２０                  熱湯流入口
２１                  出湯口
２２                  貯湯タンク
２３                  熱湯供給管
２６                  混合室
２７                  弁座
２８                  弁穴
２９                  流量調節弁
３０                  弁軸
３１                  弁筒
３２                  サーモスタット
３３                  ワックス（サーモエレメント）
３４                  ピストン
３６                  押さえ軸
３７                  押さえばね
３８                  閉湯筒
３９                  通湯筒
４０                  切り欠き溝
【図１】
0004034838.tif 000002
【図２】
0004034838.tif 000003
【図３】
0004034838.tif 000004
【図４】
0004034838.tif 000005
【図５】
0004034838.tif 000006